(57)【要約】【課題】  意識して音声認識装置に向かって発話することなく地点設定可能にする。【解決手段】  地点名称を含む地図データが格納されている記憶手段（５）と、会話の内容を録音する録音手段（１１）と、音声認識ボタン（３）が操作されたとき、前記録音手段に録音された会話の内容を認識する音声認識手段（１２）と、前記音声認識手段による音声認識で得られた文字列データを解析する解析手段（１３）と、前記解析手段で解析されたデータと前記記憶手段に記憶された地点名称データとを比較して地点情報を抽出する制御手段（１４）とを備えたものである。【選択図】        図１
2005316022.tif 000002
【特許請求の範囲】
【請求項１】
地点名称を含む地図データが格納されている記憶手段と、
会話の内容を録音する録音手段と、
音声認識ボタンが操作されたとき、前記録音手段に録音された会話の内容を認識する音声認識手段と、
前記音声認識手段による音声認識で得られた文字列データを解析する解析手段と、
前記解析手段で解析されたデータと前記記憶手段に記憶された地点名称データとを比較して地点情報を抽出する制御手段と、
を備えたナビゲーション装置。
【請求項２】
音声認識手段を備えたナビゲーション装置に搭載されるプログラムにおいて、
録音手段により会話の内容を録音するステップ、
音声認識ボタンが操作されたとき、録音した会話の内容を前記音声認識手段により音声認識するステップ、
前記音声認識手段による音声認識で得られた文字列データを解析するステップ、
解析されたデータと地点名称データとを比較して地点情報を抽出するステップ、
を有することを特徴とするプログラム。
【発明の詳細な説明】
【技術分野】
【０００１】
本発明は音声認識手段を備えたナビゲーション装置及びプログラムに関する。
【背景技術】
【０００２】
従来のナビゲーション装置において、使用者の発話を音声認識して案内対象を選定するものが提案されている（特許文献１）。このような従来の装置で、例えば搭乗者の会話の中で行きたい地点が出てきた場合に、再度ユーザが行きたい場所を発話して音声認識することにより行きたい場所が設定されることになる。
【特許文献１】特開２００３−３２９４７６号公報
【発明の開示】
【発明が解決しようとする課題】
【０００３】
しかし、特許文献１のような方法では、会話の中で行きたい地点が出てきているにもかかわらず、再度ナビゲーション装置の音声認識装置に向かって発話しなければならず、手間がかかるとともに、ナビゲーション装置に向かって発話することが不自然なため使い勝手が十分とは言えなかった。
【課題を解決するための手段】
【０００４】
本発明は上記課題を解決しようとするものであり、自然な会話の中で普通に話した内容から音声認識して地点情報を抽出できるようにすることを目的とする。
そのために本発明は、地点名称を含む地図データが格納されている記憶手段と、会話の内容を録音する録音手段と、音声認識ボタンが操作がされたとき、前記録音手段に録音された会話の内容を認識する音声認識手段と、前記音声認識手段による音声認識で得られた文字列データを解析する解析手段と、前記解析手段で解析されたデータと前記記憶手段に格納されている地点名称データとを比較して地点情報を抽出する制御手段とを備えたことを特徴とする。
また、本発明は、音声認識手段を備えたナビゲーション装置に搭載されるプログラムにおいて、録音手段により会話の内容を録音するステップ、音声認識ボタンが操作されたとき、録音した会話の内容を前記音声認識手段により音声認識するステップ、前記音声認識手段による音声認識で得られた文字列データを解析するステップ、解析されたデータと地点名称データとを比較して地点情報を抽出するステップを有することを特徴とする。
【発明の効果】
【０００５】
本発明によれば、会話の中で自然に出てきた地点名称を使用することができるので、ユーザは意識して音声認識装置に向かって発話することなく地点設定を行うことが可能となる。
【発明を実施するための最良の形態】
【０００６】
以下、実施の形態について説明する。
図１は本実施形態に係るナビゲーション装置の例を示す図である。ナビゲータ処理手段として地図の表示処理、経路探索処理、経路案内に必要な表示／音声案内処理、音声認識処理や文章解析、さらにシステム全体の制御を行う中央処理装置１、出発地や目的地、登録地点等の情報を入力するキーボード、マウス、ジョイステック、マイクロフォン等からなる入力装置２、音声認識を開始するための操作ボタン３、自車両の現在位置に関する情報を検出する現在位置検出装置４、地図データ、地点データ、経路の探索に必要なナビゲーション用データ、経路案内に必要な表示／音声の案内データ、さらに地図の表示、経路探索、音声案内等の案内を行うためのプログラム（アプリケーション及び／又はＯＳ）等が記録されている情報記憶装置５、経路案内に関する情報を出力するディスプレイやスピーカその他の出力装置６、車両の走行に関する情報である、例えば道路情報、交通情報を送受信したり、車両の現在位置に関する情報を検出したり、さらに現在位置に関する情報を送受信したりする情報送受信装置５から構成されている。
【０００７】
本実施形態の中央処理装置１は、運転者や搭乗者達が車中で自然に会話している内容を録音する録音手段１１、音声認識の操作ボタンが操作されたときに録音されている会話の内容を音声認識する音声認識手段１２、音声認識で得られた文字列データを解析する解析手段１３、情報記憶装置５に格納されている地点名称データを読み出して、解析手段１３で解析されたデータと比較し、地点情報を抽出する制御手段１４を備えている。
【０００８】
録音手段１１は、例えば、数分間の単位で会話内容をメモリ（バッファ）に録音して順次内容を更新し、音声認識手段１２は、音声認識の操作ボタンが操作されたときに、例えば、１分間だけ遡って会話内容の音声認識を行い、その結果得られた文字列データを解析手段１３で解析し、単語ごとに切り抜いていく。こうして得られた単語と地点名称データベースの内容とを比較することにより、自然な会話の中で出てきた地点情報を抽出することができ、これを使って地点設定を行うことができる。
【０００９】
次に、録音した会話内容を使って地点情報を抽出する処理の流れについて図２により説明する。
図２（ａ）において、ユーザＡとユーザＢとが次のような会話をしているとする。
【００１０】
ユーザＡ：最近仕事どう？                                                        ユーザＢ：忙しいよ
ユーザＡ：そうなんだ。おいしい物でも食べに行きたいよね。
【００１１】
ユーザＢ：この前いったラーメン屋のハンジョウテンなんてどう？
ユーザＡ：いいね
この内容はそのまま録音されてバッファに蓄積される。そして、「いいね」といった後、音声認識ボタンが操作されたとすると、遡ってボタンの押される前、例えば１分間の会話内容がバッフから読み出されて音声認識が行われる。この音声認識で、「この前いったラーメン屋のハンジョウテンなんてどう？」という文字列データが得られたものとする（図２（ｂ））。
【００１２】
解析手段では、この文字列データを文章解析し、「この前：いった：ラーメン屋：の：ハンジョウテン：なんて：どう？」というように単語ごとに切り抜いていく（図２（ｃ））。そして、この切り抜かれた単語を、情報記憶装置５に格納されている地点名称データベース（図２（ｄ））と比較し、地点情報を抽出することにより、目的地候補に自動で登録される。この比較において、一致ないしは類似のものが複数ある場合には、これらをリスト表示してユーザが選択すれば、ユーザは実際に行く際に会話で出てきた候補から選択するだけで容易に目的地等の設定ができる。
【００１３】
図３は地点情報の抽出処理フローを示す図である。
ユーザ同士の会話を音声データとしてバッファに録音し（ステップＳ１）、音声認識操作ありか否か判断し（ステップＳ２）、音声認識ボタンが操作されると、バッファの録音データを音声認識する（ステップＳ３）。そして、音声認識で得られた文字列データを解析し（ステップＳ４）、単語ごとに切り抜いていく。そして、この各単語と地点名称データベースとを比較し、一致する地名をリスト表示し（ステップＳ５）、ユーザはこの中から所望のものを選択して設定する。
【産業上の利用可能性】
【００１４】
本発明によれば、ユーザは意識して音声認識装置に向かって発話することなく地点設定を行うことができるので産業上の利用価値は極めて大きい。
【図面の簡単な説明】
【００１５】
【図１】本実施形態に係るナビゲーション装置の例を示す図である。
【図２】音声認識と文章解析による地点情報の抽出処理を説明する図である。
【図３】地点情報の抽出処理フローを示す図である。
【符号の説明】
【００１６】
１…中央処理装置、２…入力装置、３…操作ボタン、４…現在位置検出装置、５…情報記憶装置、６…出力装置、７…情報送受信装置、１１…録音手段、１２…音声認識手段、１３…解析手段、１４…制御手段。
【図１】
2005316022.tif 000003
【図２】
2005316022.tif 000004
【図３】
2005316022.tif 000005